(57)【要約】【課題】  カメラによる自分撮りが確実かつ簡単に実現できる。【解決手段】  上部筐体３０Ｕと下部筐体３０Ｌとを開き状態で所定キーによりカメラ撮影モードを設定した後、ヒンジ３０Ｈにより折り畳んで、人が手のひらでヒンジ３０Ｈ側を地に向けて保持した際に、上下の両端部に離れて位置する下部アンテナ１Ｌと上部アンテナ１Ｕとの二つのアンテナを備え、両アンテナが同一受信信号レベルで受信している際に、一方のアンテナが手のひらに覆われて所定値以下までレベル低下したことを確認して自動シャッタを駆動し、カメラ画像を撮影する制御部を筐体が内蔵している。手のひらで覆われているアンテナを確認することで、天地逆の撮影画像を１８０度回転して記録保存できる。【選択図】  図２
2006270291.tif 000002
【特許請求の範囲】
【請求項１】
第一筐体と第二筐体とをヒンジにより折り畳み重ね合わせて用いるカメラ付き折り畳み型携帯無線端末機において、前記第一筐体および第二筐体を折り畳み重ね合わせた状態で両端近辺それぞれに位置する二つのアンテナと、カメラ撮影モード設定中に、前記二つのアンテナのうち一方の受信レベルが所定値以下の場合を検出してカメラのシャッタを駆動する制御部とを備えることを特徴とするカメラ付き折り畳み型携帯無線端末機。
【請求項２】
第一筐体と第二筐体とをヒンジにより折り畳み重ね合わせて用いるカメラ付き折り畳み型携帯無線端末機において、前記第一筐体の外面上に位置するカメラレンズと、前記第一筐体で当該カメラレンズと同一面に位置させた表示画面を有する外部表示部と、前記第一筐体および第二筐体を折り畳み重ね合わせた状態で両端近辺に位置する第一アンテナおよび第二アンテナと、カメラ撮影モード設定中に、前記二つのアンテナのうちの一つの受信レベルが所定値以上の場合を検出してカメラのシャッタを駆動する制御部とを備えることを特徴とするカメラ付き折り畳み型携帯無線端末機。
【請求項３】
第一筐体と第二筐体とをヒンジにより折り畳み重ね合わせて用いるカメラ付き折り畳み型携帯無線端末機において、前記第一筐体の外面上に位置するカメラレンズと、前記第一筐体で当該カメラレンズと同一面に位置させた表示画面を有する外部表示部と、前記第一筐体および第二筐体を折り畳み重ね合わせた状態で両端近辺に位置する第一アンテナおよび第二アンテナと、カメラ撮影モード設定中に、前記二つのアンテナのうち一つのみの受信レベルが所定値以下の場合を検出してカメラのシャッタを駆動する制御部とを備えることを特徴とするカメラ付き折り畳み型携帯無線端末機。
【請求項４】
請求項２または３に記載のカメラ付き折り畳み型携帯無線端末機において、前記制御部は、前記第一アンテナおよび前記第二アンテナの何れか一方のみの受信信号レベルが所定条件にあることを検出通知するアンテナ選択部と、カメラ撮影モード設定中で当該アンテナ選択部から前記所定条件の検出通知を受けた際には所定タイミングの後、自動的にシャッタを駆動して画像撮影し撮影画像をメモリに保存するシャッタ駆動部とを備えることを特徴とするカメラ付き折り畳み型携帯無線端末機。
【請求項５】
請求項４に記載のカメラ付き折り畳み型携帯無線端末機において、前記アンテナ選択部が検出通知する受信信号レベルの所定条件は一方のみのアンテナが所定値以下であることを特徴とするカメラ付き折り畳み型携帯無線端末機。
【請求項６】
請求項４に記載のカメラ付き折り畳み型携帯無線端末機において、前記制御部は、前記自動シャッタの駆動タイミングを設定するタイマーを備えることを特徴とするカメラ付き折り畳み型携帯無線端末機。
【請求項７】
請求項４に記載のカメラ付き折り畳み型携帯無線端末機において、カメラ撮影モード設定中で前記アンテナ選択部から前記所定条件の検出通知を受けた時点から、前記シャッタ駆動部がシャッタ駆動する前の所定時点まで発光により自動シャッタ駆動設定済みを表示する発光部を備えることを特徴とするカメラ付き折り畳み型携帯無線端末機。
【請求項８】
請求項４に記載のカメラ付き折り畳み型携帯無線端末機において、カメラ撮影モード設定中で前記アンテナ選択部から前記所定条件の検出通知を受ける時点前で操作を受けた際には、前記シャッタ駆動部がシャッタ駆動する側面キーを前記筐体の外側面に備えることを特徴とするカメラ付き折り畳み型携帯無線端末機。
【請求項９】
請求項８に記載のカメラ付き折り畳み型携帯無線端末機において、前記側面キーは携帯無線端末が折り畳まれている状態でのみシャッタ機能動作することを特徴とするカメラ付き折り畳み型携帯無線端末機。
【請求項１０】
請求項４に記載のカメラ付き折り畳み型携帯無線端末機において、前記制御部は、前記自動シャッタ駆動部によりシャッタが駆動されて撮影画像が取り込まれた際、前記アンテナ選択部で選択されたアンテナ接続情報に基づいて撮影画像を１８０度回転させてメモリに記録保存することを特徴とするカメラ付き折り畳み型携帯無線端末機。
【発明の詳細な説明】
【技術分野】
【０００１】
本発明は、カメラ付きで折り畳み型の携帯無線端末機に関するものである。
【背景技術】
【０００２】
従来のカメラ付き折り畳み型携帯無線端末機としては、携帯電話機として広く実用に共されている。
【０００３】
カメラ付き折り畳み型携帯電話機は、カメラの画素数を初めとする基本性能が日々向上し、カメラが携帯電話機に実装され始めた当初はおまけ的な機能であったが、昨今では、単体のデジタルカメラ機に並ぶ性能を有するものが登場している。
【０００４】
従来のカメラ付き折り畳み型携帯電話機は、例えば、下記特許文献１に提示されるように、撮影の前後における各動作をより容易にして使い勝手を向上させるため、電話機筐体の内面にメイン表示部、更に外面にサブ表示部それぞれを設けて撮影したプレビュー画像をサブ表示部に表示させている。
【０００５】
例えば、図８に示される電話機は、折り畳み部分を開いた状態で、マイク１０４を有する手元の下部筐体１３０Ｌにダイヤルパッドを含むキーボード１１１を備え、スピーカ１０３を有する先方の上部筐体１３０Ｕには主表示画面の内面表示部１１２を備える。他方、折り畳み部分を閉じた状態では、通常、先方にアンテナ１０１、また手元にヒンジ１３０Ｈそれぞれを向けてヒンジ側が手のひらにより握られる。通常のカメラ付き折り畳み型携帯電話機では、カメラレンズ１１５とサブ表示画面の外側表示部１１３とは上部筐体１３０Ｕの同一外面に設けられる。
【０００６】
従って、カメラ付き折り畳み型携帯電話機の撮影スタイルは、一般的に外面側に設置されたカメラで捕らえた画像をプレビュー画像として主表示側の内面表示部１１２に表示し、表示された画像を確認しながら撮影を行う。カメラのシャッタ操作は、キーボード１１１で指定されたシャッタキー操作で行う。
【０００７】
このような構成では、携帯電話使用者が撮影者を撮影する、いわゆる「自分撮り」については、内面表示部１１２に表示された画像を確認しながら撮影することができない。このため、従来のカメラ付き折り畳み型携帯電話機は、「自分撮り」を行う際、サブ表示のため設けられた外部表示部１１３に、カメラレンズ１１５で捕らえた画像を表示し、撮影者がその画像を確認しながら撮影を行えるようにしている。カメラレンズ１１５で捕らえた画像を内面表示部１１２に表示するか外面表示部１１３に表示するかは、携帯電話機が折り畳まれているか否かで決定する場合が多い。
【０００８】
しかし、「自分撮り」における従来の撮影スタイルでは、カメラシャッタとして、内面側のキーボード１１１のキー操作で行うことができず、外側面に設けられるサイドキーなどを使用するしかない。サイドキーは、ボタンそのものも小さく、必ずしも写真撮影時に押しやすい位置に設置されているとは限らない。
【０００９】
加えて、「自分撮り」においては、カメラと被写体の距離が、腕の長さで決まってしまうため、どうしても大きな距離をとることができない。携帯電話機に搭載されるカメラは、性能が向上したといっても、広角レンズが搭載されているわけではないため、撮影者は、自分自身、背景、その他、人物を含めた画像を撮影するためには、どうしても目一杯に腕を伸ばし撮影することを強いられている。このような状況がより一層、シャッタとしてのキー操作を困難にさせている。
【００１０】
なお、２台のカメラレンズにより、一方を外面側、他方を内面側それぞれに向け搭載する場合、「自分撮り」における上記問題は解消される。しかし、その構造にため製造コストの上昇は免れない。また、下記特許文献２に開示されるように、カメラそのものが回転機構上に搭載される場合、カメラレンズによるプレビュー画像を常に内面表示部と外面表示部とのいずれか一方、または双方に表示可能である。また、特許文献３に開示されるように、折り畳まれる筐体の上部筐体と下部筐体とが互いに回転し、カメラレンズが外側を向く場合は内面表示部、逆に内側を向く場合は外面表示部に画像表示して上記問題を解消するものもある。
【００１１】
しかし、これらの対応は、いずれも構造を複雑とし、製造コストの増加、またはサイズの増大化を伴うという問題を有するため、図示された従来例のような、ヒンジにより上部筐体と下部筐体とを折り畳む構造形状のなかでの問題解決が必要である。
【００１２】
【特許文献１】特開２００３−１９８６７６号公報
【特許文献２】特開２００３−２６４６１９号公報
【特許文献３】特開２００３−３０９７５６号公報
【特許文献４】特開２００２−２１７８０３号公報
【発明の開示】
【発明が解決しようとする課題】
【００１３】
解決しようとする課題は、ヒンジにより上部筐体と下部筐体とを折り畳む構造形状のなかで、製造コストおよびサイズの大幅な増加を避けては、カメラによる確実な自分撮りが簡単にはできないことである。
【課題を解決するための手段】
【００１４】
本発明は、ヒンジにより上部筐体と下部筐体とを折り畳む構造形状のなかで、カメラによる確実な自分撮りを簡単に実現するため、上記特許文献４に開示されているような二つのアンテナを用い、一方を手のひらで覆うことにより受信レベルが所定値より下がることを利用して、自動的にシャッタ駆動することを主要な特徴とする。
【００１５】
具体的な一つの構成は、第一筐体を上部筐体とし第二筐体を下部筐体としてこれら上部下部筐体をヒンジにより折り畳み重ね合わせて用いるカメラ付き折り畳み型携帯無線端末機において、折り畳んで人が手のひらで保持した際に上下両端部に離れて位置する第一第二アンテナを上部下部アンテナとする二つのアンテナと、外側の一表面に位置するカメラレンズと、このカメラレンズと同一表面に表示画面を位置させカメラ撮影モード設定中にレンズ撮影画像を表示できる外面表示部と、カメラ撮影モード設定中に前記二つの上部下部アンテナのうち、一つの受信レベルが所定値以上か、または一つのみの受信レベルが所定値以下であることを検出してカメラのシャッタを駆動する制御部とを備えることである。
【００１６】
一つのアンテナでも受信レベルが所定値以上あれば、撮影可能が可能である。しかし、更に、二つのアンテナが正常に動作して受信レベルが所定値以上あり、かつ、一方が手のひらで覆われて一つのみの受信レベルが所定値以下であることを確認する機能を加えることにより、画面の天地を揃えた状態で「自分撮り」を確実に記録することができる。
【００１７】
更に、詳細な構成は、前記上部筐体の外面上端部近辺に位置するカメラレンズと、前記上部筐体で当該カメラレンズと同一面のほぼ中央部に位置するレンズ撮影画像の外面表示部と、前記上部筐体で前記ヒンジ近辺に位置する上部アンテナと、前記下部筐体の下端部近辺に位置する下部アンテナと、前記上部アンテナおよび前記下部アンテナの何れか一方のみの受信レベルが所定条件にあることの検出通知をアンテナ接続情報として受けるアンテナ選択部と、カメラ撮影モード設定中で当該アンテナ選択部から前記所定条件の検出通知を受けた際には所定タイミングの後、自動的にシャッタを駆動して画像撮影し撮影画像をメモリに保存するシャッタ駆動部とを備えることである。
【００１８】
また、撮影の際に選択されたアンテナ情報により、一方のアンテナ選択での撮影画像と他方のアンテナ選択での撮像画像とを、筐体を天地逆に保持して撮影したと識別し、一方の撮影画像を１８０度回転させて記録保存することができる。
【発明の効果】
【００１９】
本発明のカメラ付き折り畳み型携帯無線端末機は、折り畳まれた状態にある携帯無線端末機で、筐体の上下それぞれの端部分に位置する二つのアンテナを備え、カメラレンズと同一面の外面表示部にカメラレンズの撮影画像を表示させ、一方のアンテナを手のひらで筐体の上下いずれかの側を覆ってアンテナの受信レベルが所定の条件に達した際に自動的にシャッタを駆動するため、カメラの複雑な回転機構を必要とせず、また操作するシャッタキーも不要にできるので、コストまたはサイズの増大なしで、カメラによる自分撮りが確実かつ簡単にできるという利点がある。更に、一方のアンテナの選択に対して撮影画像を１８０度回転させて記録保存する場合、天地逆で撮影された画像の天地を揃えて画面表示させることができる。
【発明を実施するための最良の形態】
【００２０】
カメラによる「自分撮り」の場合、カメラの複雑な回転機構を必要とせず、また操作するシャッタキーも不要にして、コストまたはサイズの増大を回避して、「自分撮り」が確実かつ簡単にできるという目的を実現するため下記の構成としている。すなわち、折り畳まれた状態にある携帯無線端末機は、筐体の上下それぞれの端辺部分に位置し、手のひらで覆われることにより受信信号レベルを低下させる二つのアンテナを備え、カメラ撮影モードが設定された際に、カメラレンズと同一面の外面表示部にカメラレンズにより得られるプレビュー画像を表示させている。この状態となった際に、筐体の下方部分のアンテナを手のひらで覆ってアンテナの受信信号レベルが所定の条件に達しかつ所定の自動撮影条件に達した際に自動的にシャッタが駆動される。
【００２１】
以後の説明では、カメラレンズから取り込むプレビュー画像を「カメラ画像」と呼称し、シャッタにより撮影され取り込まれた画像を撮影画像と呼称する。更に、上下関係は天地位置と共通とし、例えば電話送受器を対象として受話側となる人体の耳方向を天、また送話側となる口（くち）方向を地とする。
【実施例１】
【００２２】
本発明の実施例１として、図１から図３までを参照してカメラ付き折り畳み型携帯無線端末機の構成について説明する。
【００２３】
実施例１では、本発明によるカメラ付き折り畳み型携帯無線端末機における実施の一形態として携帯電話機を取り上げるものとする。図面では紙面の関係もあり、本発明に関する機能以外は、図示の省略されているものがある。また、構成図は理解を助けるため模式的に表現されており、形状または相互のサイズもしくは位置はあくまで参照にのみ提供される。構成要素の名称は、上述したように、折り畳み型携帯電話機において、開き状態で通話に使用中のスピーカまたはイアホン側が上部、マイク側が下部となる。また、筐体の内面と外面とは閉じ状態で形成されたものであるとする。
【００２４】
図１は、実施例１におけるカメラ付き折り畳み型携帯電話機の機能ブロックを示す図である。図２（Ａ）は実施例１における携帯電話機の外面概観を斜視で示す説明図、また図２（Ｂ）はその内面概観を斜視で示す説明図である。図３は実施例１の携帯電話機を折り畳んだ際の側面を示す説明図である。
【００２５】
図１に示されるように、本実施例によるカメラ付き折り畳み型携帯電話機は、上部アンテナ１Ｕ、下部アンテナ１Ｌ、スピーカ３、マイク４、アンテナ切替部５、ＲＦ処理部６、ベースバンド処理部７、キーボード１１、内面表示部１２、外面表示部１３、開閉検出部１４、カメラ１５、発光部１６、側面キー１７、制御部２１、メモリ２２、およびバッテリ３１を備えている。これら構成要素は、図２および図３に示される筐体、上部筐体３０Ｕおよび下部筐体３０Ｌに搭載されている。上部筐体３０Ｕおよび下部筐体３０Ｌそれぞれは、ヒンジ３０Ｈにより連結されており、折り畳んだ状態での外面と内面とを有している。
【００２６】
図２および図３に示されるように、一方の上部筐体３０Ｕは、外面中央部に外面表示部１３、外面上部にカメラレンズ１５Ａ、内面中央部に内面表示部１２、かつ内面上部にはスピーカ３と開閉検出部１４の検出対象となる磁石１４Ａとを備えている。また、ヒンジ３０Ｈに近接して上部アンテナ１Ｕが内蔵され、かつ上部端面に発光部１６が備えられる。
【００２７】
他方、下部筐体３０Ｌは、マイク４、キーボード１１、および開閉検出部１４を内面に備え、ヒンジ３０Ｈに近接して外面に蓋を有するバッテリ３１の収納部３１Ａ、かつ下部端面に近接して下部アンテナ１Ｌを内蔵している。更に、側面には側面キー１７が備えられている。
【００２８】
図１で示されるアンテナ切替部５、ＲＦ処理部６、ベースバンド処理部７、カメラ１５の本体、制御部２１、およびメモリ２２は、図２から図４には示されていないが、下部筐体３０Ｌに内蔵されているものとする。
【００２９】
上部アンテナ１Ｕおよび下部アンテナ１Ｌは、折り畳み型携帯電話機を開き状態とした際に上下に位置し、かつ閉じ状態で筐体の上下両端それぞれに位置している。上部アンテナ１Ｕおよび下部アンテナ１Ｌはアンテナ切替部５に接続され無線電波を送受信する。上部アンテナ１Ｕおよび下部アンテナ１Ｌそれぞれは通常状態では同一の受信状態である。
【００３０】
スピーカ３およびマイク４は、電話機の受話器と送話器とであり、折り畳み型携帯電話機の「開き状態」で内面の上端部および下端部それぞれに位置する。スピーカ３およびマイク４はベースバンド処理部７に接続されている。
【００３１】
アンテナ切替部５は、一方で上部アンテナ１Ｕおよび下部アンテナ１Ｌと接続し、他方でＲＦ処理部６と接続している。アンテナ切替部５は、折り畳まれている初期状態で下部アンテナ１ＬをＲＦ処理部６と接続して「下部アンテナ１Ｌ接続中」とのアンテナ接続情報をベースバンド処理部７へ通知する。アンテナ切替部５は、ＲＦ処理部６を介したベースバンド処理部７からの指示により、ＲＦ処理部６に接続する上部アンテナ１Ｕと下部アンテナ１Ｌとを切り替える。
【００３２】
ＲＦ処理部６は、アンテナ切替部５から受ける受信信号をＲＦ（無線周波数）処理し、復調して受信ベースバンド信号に変換し、ベースバンド処理部７へ送出する。ベースバンド処理部７へ送出する受信ベースバンド信号には、上述のアンテナ接続情報が付加されている。また、ＲＦ処理部６は、送信用ベースバンド信号をベースバンド処理部７から受け、変調して送信信号に変換し、アンテナ切替部５へ送出する。ベースバンド処理部７は、前記受信ベースバンド信号から受信データを取り出し、前記受信データより音声信号を生成してスピーカ２にて音声を再生する。また、ベースバンド処理部７は、マイク５から入力された音声から、前記送信用ベースバンド信号を生成する。
【００３３】
一方、ベースバンド処理部７は、ＲＦ処理部６から受けた受信信号からこの受信信号レベルを算出し、受信信号レベルが予め定められた数値より低下した場合には、所定の時間例えば携帯電話機におけるフレーム周期毎に、ＲＦ処理部６を介してアンテナ切替部５へアンテナ切替信号を送出する。しかし、上述したように、通常では、上部アンテナ１Ｕおよび下部アンテナ１Ｌそれぞれの受信信号レベルは同一である。相違が生じるのは、例えば、一方のみが手のひらで覆われて受信信号レベルが低下した場合である。従って、一方のみのアンテナによる受信信号レベルの低下は上部アンテナ１Ｕか下部アンテナ１Ｌかの上記アンテナ接続情報により通知される。
【００３４】
ベースバンド処理部７は、例えば下部アンテナ１Ｌの受信信号を受けていてその受信信号レベルが例えばほぼ１秒間にわたり所定値以下の場合、下部アンテナ１Ｌが手のひらで覆われていると判断して、ＲＦ処理部６を介してアンテナ切替部５へアンテナ切替信号を送出する。このタイミングはタイマー計時、携帯電話機のフレーム周期計測などが利用できる。従って、アンテナ切替信号を受けたアンテナ切替部５は、下部アンテナ１Ｌを上部アンテナ１Ｕに切替接続する。
【００３５】
また、ベースバンド処理部７は、自動撮影のため、制御部２１から強制的な切替要求信号を受けた場合、アンテナ切替部５に通知して接続中のアンテナを他方のアンテナに切替要求し、両者アンテナの受信レベルを確認して制御部２１へ通知する。
【００３６】
この折り畳み型携帯電話機が無線電波の届かない場所にあり「圏外」と表示されている場合には、アンテナ切替信号により上部アンテナ１Ｕに切り替っても所定値以下である。従って、上記切替えタイミング、例えばほぼ１秒ごとにアンテナ切替信号の送出が繰返される。
【００３７】
また、ベースバンド処理部７は、制御部２１と接続しており、所定値以上の受信信号レベルを受信中にはそのアンテナ接続情報を制御部２１へ通知している。従って携帯電話機が通信圏外の場合、上部アンテナ１Ｕおよび下部アンテナ１Ｌの両者共、受信信号レベルが予め定められた数値より低下しているので、ベースバンド処理部７は制御部２１へアンテナ接続情報を送出しない。このため、制御部２１では発光部１６に例えば黄色の点滅など、所定の発光表示をさせることにより、通信圏外が表示されるものとする。
【００３８】
キーボード１１はダイヤルパッドを含んで下部筐体３０Ｌの内面中央部に位置している。また、キーボード１１には、カメラ撮影モード設定のためのカメラ撮影設定キーとカメラシャッタ駆動のための内部シャッターキーとが予め設定されているものとする。すなわち、カメラ撮影設定キーと内部シャッターキーとは折り畳み型携帯電話機の筐体が開き状態でのみ操作できるものである。
【００３９】
内面表示部１２は、上部筐体３０Ｕの内面中央部に位置し、折り畳み型携帯電話機の筐体が開き状態でのみ画面表示が有効である。従って、図２で示されるように、頂点付近のカメラレンズによるカメラ画像は、カメラ撮影モード設定中なので、そのままプレビュー画像として内面表示部１２に画面表示される。すなわち、内面表示部１２にカメラ画像が画面表示されていることはカメラ撮影モード設定中を意味している。
【００４０】
外面表示部１３は上部筐体３０Ｕの外面上部寄りに位置している。従って、カメラ撮影モード設定中で折り畳み型携帯電話機の筐体が閉じ状態の場合、外面表示部１３と同一表面に位置するカメラレンズによるカメラ画像が、外面表示部１３と対面する自画像および背景のプレビュー画像として外面表示部１３に画面表示される。すなわち、筐体が閉じ状態で外面表示部１３にカメラ画像が画面表示されていることはカメラ撮影モード設定中を意味しており、「自分撮り」が可能である。
【００４１】
開閉検出部１４は、磁石センサであり、磁石１４Ａの磁力を検知するものとする。すなわち、開閉検出部１４は、上部筐体３０Ｕと下部筐体３０Ｌとが閉じ、磁石１４Ａと近接固定している状態を筐体の「閉じ状態」として検出し、制御部２１に通知する。制御部２１では「閉じ状態」以外を「開き状態」と判断する。
【００４２】
カメラ１５はカメラレンズから取り込む画像をカメラ画像として制御部２１に送る。制御部２１は受けたカメラ画像をそのままプレビュー画像として内面表示部１２または外面表示部１３に画面表示する。また、制御部２１は所定のシャッタ駆動によりカメラ画像をメモリ２２に記録する。
【００４３】
発光部１６は制御部２１の指示により発光する。電話利用の際に、発光部１６は例えば着信表示に活用される。また、例えば、通信圏外の場合、黄色が発光点滅する。本発明による「自分撮り」の自動撮影に際しては、自動撮影準備完了からシャッタ駆動直前までの所定の期間を、例えば青色が発光点滅して通知する。
【００４４】
側面キー１７は、本発明における折り畳まれた折り畳み型携帯電話機での「自分撮り」のカメラ撮影に際して、手動で操作する外部シャッタキーとなる。自動撮影準備完了ができない場合にも、側面キー１７は外部シャッタとして使用される。
【００４５】
制御部２１は、ベースバンド処理部７、キーボード１１、内面表示部１２、外面表示部１３、開閉検出部１４、カメラ１５、発光部１６、側面キー１７、およびメモリ２２と接続し、メモリ２２のＲＯＭに搭載されるプログラムに従ってＲＡＭを活用し、電話端末としての機能に加えて、本発明によるカメラ機能を発揮する。カメラ撮影の詳細動作機能はフローチャートを参照して後に説明する。メモリ２２は制御部２１と接続し、ＲＯＭにプログラムなど基本データを保持する一方、制御部２１の動作のためＲＡＭ領域を提供する。
【００４６】
また、制御部２１は、本発明のため、表示選択部２３、シャッタ駆動部２４、タイマー２５、およびアンテナ選択部２６を含む。
【００４７】
表示選択部２３は、開閉検出部１４の「閉じ状態」検出で外部表示部１３、またそれ以外の状態、すなわち「開き状態」で内部表示部１２それぞれをプレビュー画像の画面表示のために選択する。また、制御部２１の制御でメモリ２２に保存される撮影画像を表示する場合、表示選択部２３は、例えば内部表示部１２を選択する。シャッタ駆動部２４は、カメラのシャッタを駆動するもので、キーボード１１、側面キー１７以外、「自分撮り」の所定の時点で自動的にシャッタ駆動される。タイマー２５は、自動シャッタ駆動のために種々のタイミングを計測する。アンテナ選択部２６はベースバンド処理部７から通知される受信信号受信中のアンテナ接続情報を受けている。しかし、通信圏外では、受信中情報を受けることはできない。また、アンテナ選択部２６は「自分撮り」で自動撮影の際にアンテナの接続切替えを要求して何れのアンテナも受信可能なことを確認したのちアンテナの選択を実行する。
【００４８】
バッテリ３１は、下部筐体３０Ｌのバッテリ収納部３１Ａに格納され、制御部２１の制御を受けて折り畳み型携帯電話機の内部で必要な時期に必要な場所に電源を供給する。
【実施例２】
【００４９】
次に、実施例２として、図４から図５までに上記図１から図３までを併せ参照して、制御部２１における撮影の基本機能について説明する。
【００５０】
まず、カメラ撮影のために折り畳み型携帯電話機が開き状態となり、カメラ撮影モードが設定されるものとする。従って、開閉検出部１４では磁石１４Ａの検知が消滅するので「開き状態」が検出（手順Ｓ１）される。次いで、カメラ撮影設定キー操作がキーボード１１から受付け（手順Ｓ２）されるので、カメラ画像が内面表示部１２にプレビュー画像として画面表示（手順Ｓ３）される。この画面表示は、カメラ撮影モードが設定されていることを意味し、カメラ画像の画面表示が内部シャッタにより撮影可能であることを知らせる。
【００５１】
すなわち、開閉検出部１４からの「閉じ状態」通知なし（手順Ｓ４のＮＯ）の状態、すなわち「開き状態が継続する状態」では、手順Ｓ５から手順Ｓ７までそれぞれの「ＮＯ」により繰り返される手順がある。すなわち、キーボード１１の内部シャッタ操作受付なし（手順Ｓ５のＮＯ）と「閉じ状態」検知なし（手順Ｓ６のＮＯ）と所定のカメラ撮影設定キーによる解除なし（手順Ｓ７のＮＯ）との全てが重なる状態である。この状態で、上記手順７が「ＹＥＳ」で所定のカメラ撮影設定解除キーの操作をキーボード１１から受付けした場合、内面表示部１２の表示画面はカメラ画像から電話機能における「待受け画面」に切り替えられ、カメラ撮影モードは解消される。
【００５２】
上記手順Ｓ５が「ＹＥＳ」でキーボード１１からの内部シャッタ操作受付ありとなった場合、カメラ１５のシャッタが駆動される。従って、表示されたカメラ画像が撮影記録されメモリ２２に保存（手順Ｓ９）されると共に、手順は、カメラ画像が内面表示部１２に画面表示される手順Ｓ３に戻る。
【００５３】
一方、上記手順Ｓ４または手順Ｓ６が「ＮＯ」で折り畳み型携帯電話機が折り畳まれ、開閉検出部１４が「閉じ状態」を検知の際には、直ちにカメラ画像は外面表示部１３にプレビュー画像として画面表示（手順Ｓ１１）される。この状態で、側面キー１７からの外部シャッタ操作受付あり（手順Ｓ１２のＹＥＳ）によりカメラ１５のシャッタが駆動される。この結果、表示されたカメラ画像が撮影されメモリ２２に記録保存（手順Ｓ１３）されると共に、手順は、外面表示部１３にカメラレンズから撮り込まれているカメラ画像が画面表示される手順Ｓ１１に戻る。
【００５４】
上記手順Ｓ１２が「ＮＯ」で外部シャッタ操作受付なしの場合で「閉じ状態」から「開き状態」検知（手順Ｓ１４のＹＥＳ）に移行した場合、手順は上記手順Ｓ３に戻り、カメラ画像は内面表示部１２に画面表示される。
【００５５】
上記手順Ｓ１４が「ＮＯ」で「閉じ状態」のまま「開き状態」検知なしの場合で、「自分撮り」の自動撮影が開始される。
【００５６】
通常、「自分撮り」の場合、携帯電話機が小型なので、一方の第１のアンテナは手のひらで覆われ遮蔽（手順Ｓ１５）される。従って、他方の第２のアンテナが受信状態になる。第１または第２のアンテナは下部アンテナ１Ｌおよび上部アンテナ１Ｕの何れでもよい。
【００５７】
従って、二つのうち一方の第１のアンテナが手のひらで覆われて遮蔽（手順Ｓ１５）されたために、他方の第２のアンテナが所定値以上のレベルで受信（手順Ｓ１６のＹＥＳ）し、かつ例えば一秒間の安定受信を確認（手順Ｓ１７）した際には、手順は図６で示される手順Ｓ２１へ進む。安定受信確認の時間は例えば携帯電話機としてのフレーム周期を計数することで実現できる。
【００５８】
上記手順Ｓ１６が「ＮＯ」で通信圏外の場合、制御部２１は、アンテナ選択部２６が「圏外」を確認した際に発光部１６に黄色点滅表示して手順を上記手順Ｓ１２に戻し、外部シャッタの操作を可能とし、手順は繰り返される。この手順により、二つのアンテナが手のひらで覆われるかまたは通信圏外であって、二つのアンテナ両者の受信レベルが所定値以下であっても、外部シャッタの操作により撮影が可能である。
【００５９】
すなわち、以下に説明するように、二つのアンテナのうち、一方の受信レベルが所定値以下でもよいので、「カメラ撮影」の設定後では、少なくとも一方の受信レベルが所定値以下であれば、撮影可能である。
【実施例３】
【００６０】
次に、図４から図６までに上記図１から図３までを併せ参照して、制御部２１における本発明の実施例３における主要動作について説明する。
【００６１】
撮影の際には、折り畳み型携帯電話機がカメラレンズ１５Ａの位置を天に向け、地の側を手のひらで覆って保持することを前提とする。
【００６２】
すなわち、実施例３は、第１および第２のアンテナの何れか一方の受信レベルが所定値以下になった際の自動撮影についてである。
【００６３】
図６に示されるように、実施例３における制御部２１は、上記手順Ｓ１７における第２のアンテナの安定受信を確認した時点で、自動撮影が設定されたと判断し、安定受信アンテナを含む自動撮影設定状態を保持すると共に発光部１６を駆動して、例えば青色点滅の発光表示を開始（手順Ｓ２１）させる。また更に、制御部２１は、自動撮影の準備完了としてタイマー２５を駆動し例えば予め設定された２秒の計時を開始（手順Ｓ２２）する。タイマー２５の時限に到達（手順Ｓ２３のＹＥＳ）した際には、撮影に影響する発光部１６の発光表示は終了（手順Ｓ２４）する。この時限値は撮影者が自分で予め設定できる。
【００６４】
この手順Ｓ２４に続いて、制御部２１はシャッタ駆動部２４を駆動する自動シャッタにより画面表示されているカメラ画像を撮影してメモリ２２に記録保存（手順Ｓ２５）し、自動撮影設定状態を解除すると共にタイマー２５を初期化して上記手順Ｓ１１に手順を戻す。
【００６５】
このような構成により、カメラ付き折り畳み型携帯無線端末機で「自分撮り」しようとする撮影者は、折り畳み型携帯無線端末機を開き状態にしてカメラ撮影設定キーを操作したのち閉じ状態とした場合、外部表示部に自画像を見ることにより設定完了が確認できる。次いで、一方のアンテナを手のひらで覆うことにより他方のアンテナが選択され、所定値以上の受信レベルを確認することにより制御部が自動撮影を設定した際には、発光部が青色点滅する。上述した例では、青色点滅開始から予め自分で設定した２秒で自動シャッタが駆動されるので、撮影者は表示画面に所望のカメラ画像を表示させて位置を固定する。
【００６６】
このように、一方のアンテナの受信レベルが所定値以下の場合に自動撮影が可能であり、他方、上述したように、両方のアンテナの受信レベルが所定値以下であっても外部シャッタにより撮影できるので、カメラによる自分撮りが確実かつ簡単に実現できる。
【００６７】
上記説明では、確認を確実にするため、発光部を設けて自動撮影の設定を表示するとしたが、画像表示する外面表面部の一部に表示してもよい。
【実施例４】
【００６８】
次に本発明の実施例４について図１、図４、および図７を併せ参照して説明する。
【００６９】
本実施例４は、上記実施例３を改善し、自動シャッター動作開始を確実にする方策である。すなわち、携帯電話機所持者が「自分撮り」の意思がなくても、上記条件が整う場合には自動シャッタが稼動するので、本実施例４では、撮影者の意思を確認するものである。
【００７０】
すなわち、図４を参照して説明した上記手順Ｓ１４が「ＮＯ」で「閉じ状態」のまま「開き状態」検知なしの場合で、「自分撮り」の自動撮影が開始される。この自動撮影の際に必要な手続きとして、制御部２１は、アンテナ選択部２６により、二つの下部上部アンテナ１Ｌ，１Ｕの受信信号レベルが所定値を越えていることを確認したのち、一方が所定レベル以下に低下することを確認している。
【００７１】
このため、撮影者は、二つの下部上部アンテナ１Ｌ，１Ｕの何れか一方を手のひらで覆って受信信号レベルを低下させねばならない。従って、撮影手順としてカメラレンズ１５Ａ側に折り畳まれた天側アンテナが手のひらでまず覆われる強制遮蔽（手順Ｓ３１）があり、続いて地側アンテナが手のひらで覆われる強制遮蔽のため地側アンテナの選択（手順Ｓ３２）がある。
【００７２】
この強制遮蔽でも地側アンテナの受信信号が所定レベルに未到達のため不選択（手順Ｓ３２のＮＯ）であり、更に天側アンテナにおいて信号受信なし（手順Ｓ３３のＮＯ）の場合では通信圏外である。このため、制御部２１はアンテナ選択部２６が「圏外」を確認した際に発光部１６に黄色点滅表示して手順を上記手順Ｓ１２に戻し、外部シャッタの操作を可能とする。ここで、上記手順Ｓ３３が「ＹＥＳ」で天側アンテナが継続して受信中の場合、地側アンテナが選択される上記手順Ｓ３２が「ＹＥＳ」となるまで上記手順Ｓ３２と手順Ｓ３３とが繰り返される。
【００７３】
一方、上記手順Ｓ３２が「ＹＥＳ」で地側アンテナが選択された後、この地側アンテナが手のひらで覆われる強制遮断（手順Ｓ３４）により、受信信号は天側アンテナにより切替え受信（手順Ｓ３５のＹＥＳ）される。この手順Ｓ３５が「ＮＯ」で切替え受信できない場合、アンテナ選択部２６が安定受信を確認するまで、手順は上記手順Ｓ３１に戻り手順Ｓ３５までを繰り返えす。
【００７４】
手順Ｓ３１から手順Ｓ３５までの繰り返しにより、制御部２１が手順Ｓ３２の「ＹＥＳ」である地側アンテナの選択に続いて手順Ｓ３５が「ＹＥＳ」で天側アンテナの切替え受信の例えば一秒間の安定を確認（手順Ｓ３６）した際に、制御部２１は自動撮影の設定状態に達したと判断する。すなわち、地側アンテナが手のひらで覆われて「自分撮り」が可能と判断される。この時間は例えば携帯電話機としてのフレーム周期を計数することで実現できる。
【００７５】
上記手順Ｓ３６の天側アンテナの安定受信を確認した時点で、本実施例４における制御部２１は、自動撮影が設定されたと判断し、安定受信アンテナを含む自動撮影設定状態を保持すると共に発光部１６を駆動して、既に図６を参照して説明したように、例えば青色点滅の発光表示を開始させる図６の手順Ｓ２１に進む。手順Ｓ２１から手順Ｓ２６までは上記実施例３で説明したと同一であり、その説明は省略する。
【００７６】
このような構成により、外部表示部に自画像を見ることにより設定完了が確認できたのち、天側のアンテナを手のひらで覆うことにより地側のアンテナが選択され、次いで地側のアンテナを手のひらで覆うことにより天側のアンテナが選択され、制御部が自動撮影を設定した際には、発光部が青色点滅する。上述した例では、青色点滅開始から予め自分で設定した２秒で自動シャッタが駆動されるので、撮影者は表示画面に所望のカメラ画像を表示させて位置を固定する。
【００７７】
従って、カメラによる自分撮りが確実かつ簡単に実現できる。
【００７８】
上記説明では、確認を確実にするため、発光部を設けて自動撮影の設定を表示するとしたが、画像表示する外面表面部の一部に表示してもよい。また、折り畳まれた筐体の地側を手のひらで握って撮影するとしたが、一方のアンテナ部分を手のひらで覆った後に他方のアンテナ部分を手で覆うことにより自動撮影条件が確認できるので、天地の位置には無関係で撮影可能である。
【実施例５】
【００７９】
次に、上記図６の代わりに図８を併せ参照して実施例５について説明する。
【００８０】
実施例５での図１に示される制御部２１は、自動撮影終了時にアンテナ選択部２６から最後に所定値を越える受信信号レベルを受けたアンテナ接続情報を読み出す機能を更に利用している。この結果、撮影時のカメラレンズ１５Ａが天地逆の場合、すなわち、カメラレンズ側に折り畳まれた下部アンテナ１Ｌがベースバンド処理部７に接続されている場合、制御部２１は撮影画像を１８０度回転してメモリ２２に記録する。従って、天地逆のカメラレンズ１５Ａから撮られた画像でも、他の撮影画像と複数の画像を並列または順次に画面表示する場合、天地方向を一致させ、見易くすることができる。
【００８１】
また、図８と図６との相違は、上記手順Ｓ２４と手順Ｓ２６との間に、手順Ｓ２５に加えて、手順Ｓ４１から手順Ｓ４３が挿入されていることである。
【００８２】
すなわち、上記手順Ｓ２３でタイマー時限に到達し手順Ｓ２４で自動シャッタ準備完了により発光部１６の発光表示終了後、下部アンテナ１Ｌが選択（手順Ｓ４１のＹＥＳ）されている場合には上述された実施例３または実施例４と同様、手順は手順Ｓ２５の自動シャッタ駆動動作に進む。他方、上部アンテナ１Ｕが選択（手順Ｓ４１のＮＯ）されている場合には、自動シャッタ駆動により撮影（手順Ｓ４２）を終了した後、撮影画像は１８０度回転したのち、メモリ２２に記録保存されて上記手順Ｓ２６に進む。このように「自分撮り」の自動撮影かつ天地逆位置で撮影の場合、カメラ画像を１８０度回転してメモリに記録して保存（手順Ｓ４３）することができる。すなわち、撮影者は「自分撮り」で撮影されたカメラ画像に対してメモリ記録の画面方向を設定することができる。
【００８３】
従って、カメラによる自分撮りが確実かつ簡単に実現できるのみならず、保存された撮影画面の一覧表示で、カメラレンズの天地逆撮影でも、天地が逆とならずに、閲覧できるという利点がある。しかし、上記実施例３と異なり、折り畳まれた筐体を手のひらで握って撮影する場合の握り手順を配慮している。
【００８４】
［その他の実施例］
上記説明では、開閉センサを磁石センサとしたが接触を感知するものであれば他のセンサでもよい。また、発光部を上部端面に備えるとしたが外部表示部またはカメラレンズの近辺または同一外面で、昼間でも発光が確認できる状況であればよい。また、外部表示部がカメラ画像を表示しつつ、その画面そのものを発光体同等として機能させることでもよい。
【００８５】
上記説明では、時間設定を、フレーム周期の計数、タイマーの時限設定などによるとしたが、他の手段であってもよい。
【００８６】
このように、図面を参照して説明された機能ブロックは分割または併合されても、また手順は前後に入れ替わっても、上述した機能を満たすものであればその変化は許容できるものであり、本発明が上記記載に限定されるものではない。
【産業上の利用可能性】
【００８７】
二つのアンテナを例えば上下両端部に距離を置いて備え、一方のアンテナを手のひらで覆うような受信信号レベルの低下を招く手段を採ることにより、一方のみのアンテナの受信を用いて自動シャッタ撮影を容易にできるので、電話機以外でも、例えば無線インターフェースを有するＰＤＡ（Personal Digital Assistant)、または放送電波の受信機のような受信信号が不可欠な無線端末機にカメラを付けるような用途にも適用できる。
【図面の簡単な説明】
【００８８】
【図１】本発明によるカメラ付き折り畳み型携帯無線端末機におけるブロックの実施の一形態を示した説明図である。（実施例１）
【図２】（Ａ）は図１の携帯電話機における実施の一形態の外面概観を斜視で示す説明図である。また、（Ｂ）はその内面概観を斜視で示す説明図である。
【図３】図２の携帯電話機を折り畳んだ際の側面を示す説明図である。
【図４】図１におけるキーボードの内部シャッタによる撮影を主とした動作手順の実施の一形態を示すフローチャートである。
【図５】図４に続く側面キーの外部シャッタによる撮影と自分撮りの自動撮影設定準備までを主とした動作手順の実施の一形態を示すフローチャートである。（実施例２）
【図６】図５または図７に続く自分撮りの自動撮影を主とした動作手順の実施の一形態を示すフローチャートである。（実施例３）
【図７】図４に続く側面キーの外部シャッタによる撮影と自分撮りの自動撮影設定準備までを主とした動作手順の実施の一形態を示すフローチャートである。（実施例４）
【図８】図５または図７に続く図６と異なる自分撮りの自動撮影を主とした動作手順の実施の一形態を示すフローチャートである。（実施例５）
【図９】（Ａ）は従来のカメラ付き折り畳み型携帯無線端末機における一例の外面概観を斜視で示す説明図である。また、（Ｂ）はその内面概観を斜視で示す説明図である。
【符号の説明】
【００８９】
１Ｕ    上部アンテナ
１Ｌ    下部アンテナ
３    スピーカ
４    マイク
５    アンテナ切替部
６    ＲＦ処理部
７    ベースバンド処理部
１１    キーボード
１２    内面表示部
１３    外面表示部
１４    開閉検出部
１５    カメラ
１５Ａ    カメラレンズ
１６    発光部
１７    側面キー
２１    制御部
２２    メモリ
２３    表示選択部
２４    シャッタ駆動部
２５    タイマー
２６    アンテナ選択部
３０Ｈ    ヒンジ
３０Ｌ    下部筐体
３０Ｕ    上部筐体
３１    バッテリ
３１Ａ    収納部
【図１】
2006270291.tif 000003
【図２】
2006270291.tif 000004
【図３】
2006270291.tif 000005
【図４】
2006270291.tif 000006
【図５】
2006270291.tif 000007
【図６】
2006270291.tif 000008
【図７】
2006270291.tif 000009
【図８】
2006270291.tif 000010
【図９】
2006270291.tif 000011